(57)【特許請求の範囲】
【請求項１】
第１のリング形成体を有するベースと、このベースに回転可能に取り付けられるとともに、前記第１のリング形成体と共に閉ループを形成可能な第２のリング形成体を有する回転部材とを備えた綴じ具において、
前記回転部材は、前記第２のリング形成体を保持する回転軸と、この回転軸の外周部から当該回転軸の軸方向と略直交する方向に向けられた突起とを備える一方、前記ベースの内部には、前記回転軸がベースに組み合わされた状態で前記ベースからの回転部材の脱落を規制するように前記突起に係り合う脱落防止部が形成されていることを特徴とする綴じ具。
【請求項２】
前記突起は、前記第１及び第２のリング形成体が閉ループを形成したときに、当該閉ループ状態を維持する力よりも小さい反発力を前記第２のリング形成体に付与する状態で脱落防止部に係り合うことを特徴とする請求項１記載の綴じ具。
【発明の詳細な説明】
【０００１】
【発明の属する技術分野】
本発明は綴じ具に係り、更に詳しくは、綴じ具を所定の表紙体に固定する前の状態で、当該綴じ具を構成する部品相互の不用意なる分解を防止することのできる綴じ具に関する。
【０００２】
【従来の技術】
従来より、バインダー等の表紙体の内面には綴じ具が固定されている。この綴じ具としては、例えば、第１のリング形成体を有するベースと、このベースに裏側から取り付けられるとともに、第１のリング形成体の先端部と係り合って閉ループを形成する第２のリング形成体を有する回転部材とを備えた構成のものが知られている。このような綴じ具は、回転部材をベースに取り付けることによって組み立てられ、その後、表紙体への取り付け前の段階では、回転部材がベースから脱落しないように、第１及び第２のリング形成体を相互に係り合わせて閉ループ状態に保たれる。
【０００３】
【発明が解決しようとする課題】
しかしながら、前記綴じ具にあっては、表紙体への固定前における流通段階等において、前述した係り合いが解除されてしまったときに、部品が相互に離れてしまう場合が生じ易く、表紙体への固定作業に支障をきたすという不都合がある。
【０００４】
【発明の目的】
本発明は、このような不都合に着目して案出されたものであり、その目的は、表紙体へ固定する前に、綴じ具が不用意に分解してしまう虞を回避して固定作業に際しての作業負担を軽減することのできる綴じ具を提供することにある。
【０００５】
【課題を解決するための手段】
前記目的を達成するため、本発明は、第１のリング形成体を有するベースと、このベースに回転可能に取り付けられるとともに、前記第１のリング形成体と共に閉ループを形成可能な第２のリング形成体を有する回転部材とを備えた綴じ具において、
前記回転部材は、前記第２のリング形成体を保持する回転軸と、この回転軸の外周部から当該回転軸の軸方向と略直交する方向に向けられた突起とを備える一方、前記ベースの内部には、前記回転軸がベースに組み合わされた状態で前記ベースからの回転部材の脱落を規制するように前記突起に係り合う脱落防止部が形成される、という構成を採っている。このような構成によれば、ベースに回転部材を取り付けた状態で、ベース側の脱落防止部と回転部材側の突起とが係り合って回転部材がベースから脱落することを規制できるため、表紙体への取り付け前に、閉ループ状態が不用意に解除されることがあっても、回転部材がベースから脱落することを確実に防止することができる。
【０００６】
【発明の実施の形態】
本発明における突起は、前記第１及び第２のリング形成体が閉ループを形成したときに、当該閉ループ状態を維持する力よりも小さい反発力を前記第２のリング形成体に付与する状態で脱落防止部に係り合うように設けることが好ましい。このように構成することで、第１及び第２のリング形成体によって形成される閉ループ状態を解除したときに、前記反発力によって第２のリング形成体が第１のリング形成体から離れる方向に移動することになり、綴じ具の開放動作をより素早く行うことが可能となる。
【０００７】
【実施例】
以下、本発明の実施例について図面を参照しながら説明する。
【０００８】
図１には、本実施例に係る綴じ具が固定されたバインダーの要部概略斜視図が示され、図２には、綴じ具の分解斜視図が示されている。これらの図において、バインダー１０は、表紙体１１と、この表紙体１１の内面に固定された綴じ具１２とを備えて構成されている。表紙体１１は、綴じ幅を決定する背表紙１４と、この背表紙１４の短寸幅方向両側に連なる表表紙１５及び裏表紙１６とにより構成されている。
【０００９】
前記綴じ具１２は、裏表紙１６の内面に固定される長片状のベース１８と、このベース１８の裏側に回転可能に取り付けられるとともに、ベース１８をバインダー１０に固定した状態で背表紙１４側に配置される回転部材１９とを備えて構成されている。
【００１０】
前記ベース１８は、図３ないし図６に示されるように、回転部材１９側から短寸幅方向の他端側すなわち図３中右側の端部に向かって略直線状に下方に傾斜する傾斜面部２１と、この傾斜面部２１の低い部分となる低部端縁２１Ａ側位置における長手方向（図３中紙面直交方向）二箇所に起立配置された軸状の第１のリング形成体２３と、傾斜面部２１の高い部分となる高部端縁２１Ｂ側の長手方向に沿って設けられた軸受部２４と、この軸受部２４に部分的に連なって、回転部材１９がベース１８から脱落することを規制する脱落防止部としての段部２６（図４参照）と、傾斜面部２１の長手方向両端側に連なる平面視略三角形状のサイド面部２８（図５、図６参照）とを備えて構成されている。
【００１１】
前記傾斜面部２１は、ベース１８が裏表紙１６に固定された状態で、背表紙１４側から裏表紙１６の自由端側に向かって次第に下方に傾斜する向きで配置され、前記自由端側に位置する低部端縁２１Ａは、裏表紙１６の内面に連なる緩やかな円弧状の曲面となっている。
【００１２】
前記第１のリング形成体２３は、低部端縁２１Ａよりも若干内側となる位置で略鉛直状に起立しており、その先端２３Ａ側が高部端縁２１Ｂ側に向かって若干湾曲した形状となっている。先端２３Ａ側には、図２に示されるように、第１の切欠面部２９が設けられており、当該切欠面部２９には受容溝３０が形成されている。ここで、第１のリング形成体２３，２３は、各受容溝３０，３０が相対する向きで対称配置されている。
【００１３】
前記軸受部２４は、前記高部端縁２１Ｂから図３中左側となる外側に膨出しながら下方に延びる湾曲端面３４と、高部端縁２１Ｂ側から下方に延びる仕切片３５とによって構成され、これら湾曲端面３４及び仕切片３５で囲まれる領域にはトンネル状の内部空間３６が形成される。この内部空間３６は、ベース１８の長手方向に沿って延びているとともに、底部側が略全域で開放しており、この開放部分から回転部材１９が装着されるようになっている。また、図５及び図６に示されるように、内部空間３６の同図中左右両端側には、湾曲端面３４に形成された切欠部２７，２７が連なるようになっている。
【００１４】
前記段部２６は、図４に示されるように、ベース１８の内部における長手方向二箇所に設けられており、軸受部２４の仕切片３５の上部を部分的に切り欠いた領域に連なっている。すなわち、段部２６は、切り欠かれた仕切片３５の上端側から低部端縁２１Ａ側に向かって略水平に延びる水平面部３８と、この水平面部３８の端部から略鉛直に延びて傾斜面部２１の裏面に連なる鉛直面部３９とによって形成されている。なお、各水平面部３８，３８の上方位置となる傾斜面部２１の部分には、貫通穴４１，４１が形成されている。
【００１５】
前記サイド面部２８，２８は、図１及び図２に示されるように、前記傾斜面部２１の長手方向両端縁側から外側に向かって次第に下方に傾斜する形状をなしている。これらサイド面部２８，２８の領域には、リベット４３の通し穴４４がそれぞれ一箇所づつ形成されており、各通し穴４４に通されたリベット４３によって綴じ具１２が裏表紙１６に固定されるようになっている。
【００１６】
前記回転部材１９は、図２ないし図４に示されるように、ベース１８の軸受部２４に回転可能に受容される回転軸４６と、この回転軸４６の軸方向両端側に保持される第２のリング形成体４８，４８と、回転軸４６の外周部二箇所から前記軸方向と略直交する方向に向けられた突起４９，４９とを備えて構成されている。回転軸４６は、軸受部２４における内部空間３６の長手方向幅に略相当する軸長に設定されており、内部空間３６に連なる切欠部２７，２７に第２のリング形成体４８，４８の基部領域を受容させることができるようになっている。
【００１７】
前記第２のリング形成体４８，４８は、前記第１のリング形成体２３，２３と略同一の相互離間幅に設けられるとともに、回転軸４６の軸方向と略直交する方向に向けられており、軸受部２４に装着された状態で、第１のリング形成体２３，２３と係り合ってベース１８との間に閉ループを形成できるようになっている。これら第２のリング形成体４８は、その先端４８Ａ側が下向きに湾曲したフック状をなす形状となっており、基部領域がやや湾曲した状態で図２中上方に延びる縦行軸部５１と、この縦行軸部５１の同図中上部に連なって下向きＣ字状に湾曲しながら延びる横行軸部５２とにより構成されている。横行軸部５２の先端側には、第１のリング形成体２３の先端２３Ａ側に設けられた第１の切欠面部２９と係り合い可能な形状の第２の切欠面部５６が設けられている。この第２の切欠面部５６には、第１の切欠面部２９に形成された受容溝３０に嵌め合い可能となる突部５８が形成されている。従って、第２のリング形成体４８，４８は、各受容溝３０，３０に対応して、突部５８，５８がそれぞれ相反するように対称配置されている。ここで、第１及び第２のリング形成体２３，４８の係り合い及びその解除は、第２のリング形成体４８，４８の先端４８Ａ，４８Ａ側を指で摘んで、各先端４８Ａ，４８Ａ側を相互に接近する方向に変位させた状態で行う公知の構造が採用されている。なお、本実施例では、横行軸部５２，５２の相対する外周面領域に、各先端４８Ａ，４８Ａ側の変位を行い易くするための凹部６０，６０が設けられている。また、第１及び第２のリング形成体２３，４８間の係り合い構造については、前述の構造に限らず、それらの突き合せ状態或いは係り合い状態を維持できる限りにおいて、種々の構造を採用することができる。
【００１８】
前記突起４９は回転軸４６に略直交する方向に向けられた楔形をなし、第１及び第２のリング形成体２３，４８を係り合わせて閉ループ状態としたときに、ベース１８の段部２６に係り合い可能となっている。すなわち、突起４９は、前記水平面部３８上に接触可能な接触面６２と、これの図４中右端に連なる先端面６３と、接触面６２の図４中紙面直交方向両側に位置する側端面６４（図２参照）と、先端面６３の上端と回転軸４６の外周面との間に延びる上面６５とを備えて構成されている。接触面６２は、第２のリング形成体４８が第１のリング形成体２３に係り合う位置で段部２６の水平面部３８に面接触可能に設けられ、これによって、綴じ具１２を裏表紙１６に固定する前の段階で、第２のリング形成体４８がベース１８の裏側から脱落することが規制される。なお、突起４９の形状としては、前述の形状に限定されずに、回転部材１９がベース１８の裏側から脱落しないように段部２６に係り合い可能な限り、種々の形状を採用することができる。
【００１９】
以上の構成において、綴じ具１２を組み立てる場合には、回転部材１９を図７中二点鎖線で示される向きとした状態で、その回転軸４６をベース１８の裏側から軸受部２４に装着する。次いで、回転軸４６と共に第２のリング形成体４８を図７中時計方向に回転させながら、その先端４８Ａ側を第１のリング形成体２３の先端２３Ａ側に移動する。この際、傾斜面部２１に設けられた穴４１が突起４９の先端側の逃げ部となる。そして、第２のリング形成体４８，４８の先端４８Ａ，４８Ａを第１のリング形成体２３，２３の先端２３Ａ，２３Ａに接近させ、第２のリング形成体４８，４８を第１のリング形成体２３，２３に係り合わせる。この状態では、図４に示されるように、突起４９が段部２６の水平面部３８に当たっていることとなる。
【００２０】
従って、このような実施例によれば、綴じ具１２が裏表紙１６に取り付けられる前に、第１及び第２のリング形成体２３，４８を係り合わせた閉ループ状態にすると、当該閉ループ状態が不用意に解除されたとしても、段部２６と突起４９との係り合いによって、ベース１８の裏側から回転部材１９が脱落することが防止される。このため、裏表紙１６に組み立てられる前に、テープ等の別部材で回転部材１９をベース１８に固定しておかなくても、第１及び第２のリング形成体２３，４８の組み合わせ状態が解除されることがなく、裏表紙１６への取り付け前の余分な作業をなくすことができるという効果を得る。
【００２１】
また、前記綴じ具１２には、ベース１８に傾斜面部２１が設けられているため、図８に示されるように、バインダー１０に取り付けられた綴じ具１２に用紙Ｐを綴じ込んだ状態で、その最上面を裏表紙１６の自由端側に向かって滑らかに傾斜させることができ、第１のリング形成体２３，２３の周囲となる用紙Ｐ部分に文字等を記入し易くすることができる。
【００２２】
なお、前記実施例では、第１及び第２のリング形成体２３，４８が係り合った閉ループ状態で、回転部材１９の突起４９とベース１８の段部２６とが係り合う構造としたが、本発明はこれに限らず、図９に示されるように、第１及び第２のリング形成体２３，４８が係り合う前に、回転部材１９の突起４９とベース１８の段部２６とが係り合うように設定し、前記閉ループ状態を維持する力すなわち各リング形成体２３，４８が係り合う力よりも小さい反発力を第２のリング形成体４８に付与できる構造としてもよい。すなわち、この場合の突起４９は、前記閉ループ状態において段部２６に対して上方に撓みながら係り合い可能に設けられており、前記閉ループ状態を解除すると、突起４９の復元力が段部２６の水平面部３８への反力を発生させ、この反力により第２のリング形成体４８を自動的に同図中反時計方向に回転させることが可能になる。このような構造により、第２のリング形成体４８の開放動作を一層円滑に行うことができる。
【００２３】
【発明の効果】
以上説明したように、本発明によれば、第２のリング形成体を有する回転部材に、第２のリング形成体を保持する回転軸と、その外周部から当該回転軸の軸方向と略直交する方向に向けられた突起とを備え、しかも、ベースに、回転軸がベースに組み合わされた状態でベースからの回転部材の脱落を規制するように前記突起に係り合う脱落防止部を形成したから、バインダー等への取り付け前に回転部材がベースから脱落することを確実に防止することができる。
【００２４】
また、前記突起を、前記第１及び第２のリング形成体が閉ループを形成したときに、当該閉ループ状態を維持する力よりも小さい反発力を第２のリング形成体に付与する状態で脱落防止部に係り合う構成としたから、閉ループ状態を解除したときに、第２のリング形成体の反発力によって当該第２のリング形成体が第１のリング形成体から離れる方向に移動することになり、綴じ具の開放動作を素早く行うことが可能となる。
【図面の簡単な説明】
【図１】本実施例に係る綴じ具がバインダーに固定された状態を示す要部外観斜視図。
【図２】前記綴じ具の分解斜視図。
【図３】図１のＡ−Ａ線矢視拡大断面図。
【図４】図１のＢ−Ｂ線矢視拡大断面図。
【図５】前記綴じ具の平面図。
【図６】前記綴じ具の底面図。
【図７】前記綴じ具を組み立てる手順の説明するための断面図。
【図８】本実施例の一効果を説明するための側面図。
【図９】本実施例の変形例を示す図４と同位置から見た断面図。
【符号の説明】
１２  綴じ具
１８  ベース
１９  回転部材
２３  第１のリング形成体
２６  段部（脱落防止部）
４６  回転軸
４８  第２のリング形成体
４９  突起
【図１】
0003775217.tif 000002
【図２】
0003775217.tif 000003
【図３】
0003775217.tif 000004
【図４】
0003775217.tif 000005
【図５】
0003775217.tif 000006
【図６】
0003775217.tif 000007
【図７】
0003775217.tif 000008
【図８】
0003775217.tif 000009
【図９】
0003775217.tif 000010